(57)【要約】【課題】      装飾層を引き立たせると共に竿杆に水濡れ釣糸の付着を防止した釣竿を提供することである。【解決手段】  竿杆１の基部に保持部材２が固定され、竿杆１に複数の釣糸ガイド１０〜１４とトップガイド１５が取り付けられている。  竿杆１の釣糸ガイド１０、１１の間には、竿杆１外周に色模様や文字模様や図形等が描かれた紙シ−ルや合成樹脂シ−ルや金属製シ−ルが貼着されたり、模様や図形等が塗装で描かれたり、印刷されたり、蒸着された装飾層３が設けられ、装飾層３の前後の周縁３ａ、３ｂの竿杆１外周に突出した凸部４、４′が糸巻き等で設けられて凸部４、４′の間の装飾層３の外周に装飾層３が視認出来る透明な肉盛り部５が凸部４、４′より高くなるように設けられている。【選択図】        図１
2006014610.tif 000002
【特許請求の範囲】
【請求項１】
竿杆の外周所要位置に装飾層を設け、該装飾層の周縁に前記竿杆外周から突出した凸部を設け、該凸部の内側領域に前記装飾層が視認出来る透明な肉盛り部を最大高さが前記凸部より高い位置まで盛り上げたことを特徴とする釣竿。
【請求項２】
前記装飾層はシ−ル貼着、塗装、印刷、蒸着等によって前記竿杆外面に設けられていることを特徴とする請求項１記載の釣竿。
【請求項３】
前記装飾層は光輝性を有していることを特徴とする請求項１、２記載の釣竿。
【請求項４】
前記肉盛り部は竿杆よりも柔軟性のある部材によって構成されていることを特徴とする請求項１記載の釣竿。
【請求項５】
前記凸部は糸巻きによって形成されていることを特徴とする請求項４記載の釣竿。
【請求項６】
前記肉盛り部は撥水材で形成されたことを特徴とする請求項１、４記載の釣竿。
【発明の詳細な説明】
【技術分野】
【０００１】
本発明は、竿杆に光輝性を持たせると共に水濡れ釣糸の付着を防止した釣竿の改良に関する。
【背景技術】
【０００２】
従来周囲の非光輝性領域に対して突出した高さ位置にある点状か線状、又はこれらの組合わせ形状の光輝性領域を有する釣竿等を特許文献１で提案した。
上記非光輝性領域と光輝性領域は、外周をクリヤ−塗装を施してクリヤ−層で覆っているが、クリヤ−層は表面張力の関係でなだらかな凸部になるが高い凸部にすることは出来なかった。
【特許文献１】特開平９−１８２５４６号公報
【発明の開示】
【発明が解決しようとする課題】
【０００３】
解決しようとする課題は、クリヤ−層の高さを高くしようとしても表面張力の関係でなだらかな凸部になることである。
【０００４】
本発明の目的は前記欠点に鑑み、装飾層を設けた外周に高い肉盛り部を設けて装飾層を引き立たせると共に竿杆に水濡れ釣糸の付着を防止した釣竿を提供することである。
【課題を解決するための手段】
【０００５】
請求項１に係わる本発明は、竿杆の外周所要位置に装飾層を設け、該装飾層の周縁に前記竿杆外周から突出した凸部を設け、該凸部の内側領域に前記装飾層が視認出来る透明な肉盛り部を最大高さが前記凸部より高い位置まで盛り上げたことを要旨とするものである。
請求項２に係わる本発明は、前記装飾層はシ−ル貼着、塗装、印刷、蒸着等によって前記竿杆外面に設けられていることを要旨とするものである。
請求項３に係わる本発明は、前記装飾層は光輝性を有していることを要旨とするものである。
請求項４に係わる本発明は、前記肉盛り部は竿杆よりも柔軟性のある部材によって構成されていることを要旨とするものである。
請求項５に係わる本発明は、前記凸部は糸巻きによって形成されていることを要旨とするものである。
請求項６に係わる本発明は、前記肉盛り部は撥水材で形成されたことを要旨とするものである。
【発明の効果】
【０００６】
本発明によって、装飾層の視認性に優れ、光の拡散とレンズ効果により、装飾層を引き立たせる事が出来る。
又、雨天時に糸ふけが発生した際に竿杆の外周に釣糸が付着しやすいが本願構成によれば付着しにくくなる。
肉盛り部によって装飾層に用いたシ−ルの剥がれや印刷のかすれ、消え等から装飾層を保護することと同時に視認性、光の拡散、レンズ効果が向上し、釣糸の付着が防止される。
光輝感が透明の肉盛り部によって一際、際立って目立つようになる。
又、少ない塗装回数で厚い塗膜を形成出来、塗膜の界面を減らすことが出来る為、
装飾層と肉盛り部と凸部の密着が良く、剥離しにくい。
凸部を糸巻きで製作すると、製作が容易であると同時に糸の番手選定により凸部の大きさを調整しやすい。
糸の色を変えることにより装飾のバリエ−ションが広くなる。
グリップ部に装飾層と凸部と透明な肉盛り部を設けると、グリップ保持性が向上する。
装飾層の両端に凸部を設ける事により、凸部が無いより竿杆からより高い肉盛り部を形成でき、端面の仕上がりもきれいにできる。
【発明を実施するための最良の形態】
【０００７】
竿杆１の基部に保持部材２が固定され、竿杆１に複数の釣糸ガイド１０〜１４とトップガイド１５が取り付けられ、保持部材２にリ−ル１６のリ−ル装着部２ａとグリップ部２ｂが形成されている。
竿杆１は複数本の並継ぎ式の竿杆でもよい。
竿杆１の釣糸ガイド１０、１１の間には、竿杆１外周に装飾層３が設けられ、装飾層３の前後の周縁３ａ、３ｂの竿杆１外周に竿杆１外周から突出した凸部４、４′が設けられている。
凸部４、４′の間の装飾層３の外周に装飾層３が視認出来る透明な肉盛り部５が設けられている。
装飾層３は、色模様や文字模様や図形等が描かれた紙シ−ルや合成樹脂シ−ルや金属製シ−ルが貼着されたり、模様や図形等が塗装で描かれたり、印刷されたり、蒸着されている。
凸部４、４′は糸巻きやゴム製のＯリングや合成樹脂や合成樹脂が含浸されたカ−ボン又はガラス繊維等で形成されている。
肉盛り部５は透明なエポキシ、ウレタン、アクリル等の合成樹脂塗料で形成されて溶剤はアセトン、トルエン、キシレン、アルコ−ル、ＭＥＫ等が使用される。
塗料粘度は高い程、より高く肉盛り部５を形成することができる。
【実施例１】
【０００８】
以下、本発明を実施例で図面に基づき説明すると、図１、図２は第１実施例で、図１は釣竿の側面図と要部拡大断面側面図、図２は釣竿の要部拡大断面側面図である。
【０００９】
釣竿は、竿杆１の基部に保持部材２が固定され、竿杆１に複数の釣糸ガイド１０〜１４とトップガイド１５が取り付けられ、保持部材２にリ−ル１６のリ−ル装着部２ａとグリップ部２ｂが形成されている。
竿杆１は複数本の並継ぎ式の竿杆でもよい。
竿杆１の釣糸ガイド１０、１１の間には、竿杆１外周に装飾層３が設けられ、装飾層３の前後の周縁３ａ、３ｂの竿杆１外周に竿杆１外周から突出した凸部４、４′が設けられている。
凸部４、４′の間の装飾層３の外周に装飾層３が視認出来る透明な肉盛り部５が設けられている。
装飾層と凸部と透明な肉盛り部は釣糸ガイド１０、１１間以外の釣糸ガイド間に設けてもよい。
又、グリップ部２ｂや図示されていない丸竿のグリップ等に装飾層と凸部と透明な肉盛り部を設けてもよい。
【００１０】
装飾層３は、色模様や文字模様や図形等が描かれた紙シ−ルや合成樹脂シ−ルや金属製シ−ルが貼着されたり、模様や図形等が塗装で描かれたり、印刷されたり、蒸着されている。
装飾層３の長手方向の長さは形成される位置に応じて適宜の長さとする。
第１実施例では釣糸ガイド１０、１１間に設けて水濡れ釣糸の付着を防止する長さとした。
凸部４、４′は糸巻きやゴム製のＯリングや合成樹脂や合成樹脂が含浸されたカ−ボン又はガラス繊維等で形成されている。
糸巻きの場合、サイズとして糸の直径は０．１〜２．０ｍｍ位が好ましく、糸径が太い程容易に凸部４、４′の高さを高くできて肉盛り部５も高くできる。
肉盛り部５は透明なエポキシ、ウレタン、アクリル等の合成樹脂塗料で形成されて溶剤はアセトン、トルエン、キシレン、アルコ−ル、ＭＥＫ等が使用される。
顔料、染料を混入して色付けしてもよい。
塗料粘度は高い程、より高く肉盛り部５を形成することができて、２０℃の時、３００ｍａｐ．ｓ〜１５００ｍａｐ．ｓが望ましく、好ましくは５００ｍａｐ．ｓ〜８００ｍａｐ．ｓである。
【００１１】
前記のように竿杆１の外周に装飾層３が設けられて装飾層３の前後の周縁３ａ、３ｂに、竿杆１外周から突出した凸部４、４′が設けられ、凸部４、４′の間の装飾層３の外周に透明なエポキシ、ウレタン、アクリル等の合成樹脂塗料を貼着させて盛り上げて肉盛り部５を形成すると、塗料粘度を適度の硬さにすることで肉盛り部５の高さを凸部４、４′の高さより高くすることが容易である。
【００１２】
前記のように釣竿が構成されると、装飾層３の視認性に優れ、光の拡散とレンズ効果により、装飾層３を引き立たせる事が出来る。
又、雨天時に糸ふけが発生した際に竿杆１の外周に釣糸が付着しやすいが本願構成によれば付着しにくくなる。
肉盛り部５によって装飾層３に用いたシ−ルの剥がれや印刷のかすれ、消え等から装飾層を保護することと同時に視認性、光の拡散、レンズ効果が向上し、釣糸の付着が防止される。
光輝感が透明の肉盛り部５によって一際、際立って目立つようになる。
又、少ない塗装回数で厚い塗膜を形成出来、塗膜の界面を減らすことが出来る為、
装飾層３と肉盛り部５と凸部４、４′の密着が良く、剥離しにくい。
凸部４、４′を糸巻きで製作すると、製作が容易であると同時に糸の番手選定により凸部の大きさを調整しやすい。
糸の色を変えることにより装飾のバリエ−ションが広くなる。
グリップ部２ｂに装飾層と凸部と透明な肉盛り部を設けると、グリップ保持性が向上する。
装飾層３の両端に凸部４、４′を設ける事により、凸部が無いより竿杆１からより高い肉盛り部５を形成でき、端面の仕上がりもきれいになる。
【実施例２】
【００１３】
図３は第２実施例で、図３は釣竿の要部拡大断面側面図である。
【００１４】
第２実施例では、装飾層３の前後の周縁３ａ、３ｂの外周に凸部４、４′の一部が載るように竿杆１外周に竿杆１外周から突出した凸部４、４′が設けられている。
他の構成は前記第１実施例と略同一である。
【実施例３】
【００１５】
図４は第３実施例で、図４は釣竿の要部拡大断面側面図である。
【００１６】
第３実施例では、装飾層３の前後の周縁３ａ、３ｂの外周に凸部４、４′が全部載るように装飾層３外周に装飾層３外周から突出した凸部４、４′が設けられている。
他の構成は前記第１実施例と略同一である。
【実施例４】
【００１７】
図５、図６は第４実施例で、図５は釣竿の要部拡大側面図、図６は釣竿の要部拡大断面側面図である。
【００１８】
第４実施例では、竿杆１の外周に帯状で色模様や文字模様や図形等が描かれた紙シ−ルや合成樹脂シ−ルや金属製シ−ルが螺旋状に巻回貼着されたり、模様や図形等が塗装で描かれたり、印刷されたり、蒸着されて装飾層６が形成されている。
長手方向に長い装飾層６の外周には糸巻きや合成樹脂や合成樹脂が含浸されたカ−ボン又はガラス繊維で螺旋状に凸部７が形成されて凸部７に沿って螺旋状に肉盛り部８が形成されている。
他の構成は前記第１実施例と略同一である。
【００１９】
第４実施例のように釣竿が構成されると、長い色模様や文字模様や図形等が描かれた装飾層６とすることが出来る。
竿杆１の撓りを阻害しない。
きれいなカ−ブを描ける。
応力集中による支点折れを防止出来る。
【実施例５】
【００２０】
図７、図８は第５実施例で、図７は釣竿の要部拡大側面図、図８は釣竿の要部拡大断面側面図である。
【００２１】
第５実施例では、竿杆１の外周に楕円形の装飾層３′が設けられると共に装飾層３′の外側に凸部９が合成樹脂で形成され、凸部９は楕円形のリング部９ａとバンド部９ｂで形成されて竿杆１の外周に固着されて楕円形のリング部９ａの中に肉盛り部５′が形成されている。
他の構成は前記第１実施例と略同一である。
【図面の簡単な説明】
【００２２】
【図１】第１実施例で、釣竿の側面図と要部拡大断面側面図である。
【図２】同釣竿の要部拡大断面側面図である。
【図３】第２実施例で、釣竿の要部拡大断面側面図である。
【図４】第３実施例で、釣竿の要部拡大断面側面図である。
【図５】第４実施例で、釣竿の要部拡大側面図である。
【図６】同釣竿の要部拡大断面側面図である。
【図７】第５実施例で、釣竿の要部拡大側面図である。
【図８】同釣竿の要部拡大断面側面図である。
【符号の説明】
【００２３】
１  竿杆
３、３′、６  装飾層
３ａ、３ｂ  周縁
４、４′、７、９  凸部
５、５′、８  肉盛り部
【図１】
2006014610.tif 000003
【図２】
2006014610.tif 000004
【図３】
2006014610.tif 000005
【図４】
2006014610.tif 000006
【図５】
2006014610.tif 000007
【図６】
2006014610.tif 000008
【図７】
2006014610.tif 000009
【図８】
2006014610.tif 000010